(57)【要約】【課題】  本発明は、遊技機に表示されるバーコードを携帯端末で読み取ってインターネットで大当たりの状況に応じた大当たり証明を携帯端末を介して獲得できるようにして遊技客の囲い込み等を図る携帯端末を用いた遊技機大当たり証明獲得システムを提供する。【解決手段】  携帯電話１２はインターネットアクセス機能、バーコードリーダー機能を有している。インターネット１４にはサーバー１６が接続されている。遊技客がパチンコ機２０で遊んで大当たりするとパチンコ機２０の演出表示装置２４には大当たり確定状態画像４０とＱＲコード４２が表示される。このＱＲコード４２には大当たりの状況に応じた大当たり状況情報が示されている。従って、大当たりしたら遊技客は携帯電話１２でＱＲコード４２を読み込んでサーバー１６にアクセスし、サーバー１６から大当たりに対応するグレードの大当たり証明画像４４を獲得できる。【選択図】  図１
2007044293.tif 000002
【特許請求の範囲】
【請求項１】
遊技客が遊技機で遊んで遊技機が大当たりすると遊技機に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信するサーバーと、からなることを特徴とする携帯端末を用いた遊技機大当たり証明獲得システム。
【請求項２】
遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能を有するサーバーと、からなることを特徴とする携帯端末を用いた遊技機大当たり証明獲得システム。
【請求項３】
遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能及び抽選機能、ポイントサービス機能を有するとサーバーと、からなることを特徴とする携帯端末を用いた遊技機大当たり証明獲得システム。
【請求項４】
遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能及び会員登録機能を有するサーバーと、からなることを特徴とする携帯端末を用いた遊技機大当たり証明獲得システム。
【請求項５】
遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能を有するサーバーと、前記遊技機に設けられ前記演出表示装置にバーコードを表示したり消したりすることができるバーコード表示消滅ボタンと、からなることを特徴とする携帯端末を用いた遊技機大当たり証明獲得システム。
【請求項６】
前記バーコードをＱＲコードにしたことを特徴とする請求項１、請求項２、請求項３、請求項４、請求項５の携帯端末を用いた遊技機大当たり証明獲得システム。
【発明の詳細な説明】
【技術分野】
【０００１】
本発明は、パチンコ機、パチスロ機、テレビゲーム機等の遊技機で大当たりした場合に遊技機に表示されるバーコードを携帯端末で読み取ってインターネットを介してサーバーにアクセスすることにより大当たりの状況に応じた大当たり証明を携帯端末を介して獲得することができる携帯端末を用いた遊技機大当たり証明獲得システムに関する。
【背景技術】
【０００２】
従来、パチンコ台に演出表示装置、数字絵柄始動入賞口、特定入賞口、始動入賞口、大入賞口を設けたタイプのパチンコ機が広く知られている。
このタイプのパチンコ機においては、前記数字絵柄始動入賞口にパチンコ玉が入って入賞すると演出表示装置の表示状態が変動開始されるとともに、一定時間後に停止され、停止した演出表示装置の表示結果が予め設定された数字や絵柄の表示に揃うと特定入賞口が開放されるようになっている。
そして、この特定入賞口にパチンコ玉が入って入賞することにより大当たりの権利が発生し、この大当たり権利発生時に始動入賞口にパチンコ玉が入って入賞すると大当たりが確定して大入賞口が開放されて所定時間パチンコ玉を受入れることができるようになっている。
また、大当たり権利確定中は前記演出表示装置の液晶画面に大当たりした時にだけ表示される絵柄等を表示して大当たり時の演出を行って、大当たりした遊技客に大当たりの感動を与えている。
しかしながら、前記演出表示装置における大当たりした時の演出は、演出表示装置の機能や容量、及び規制上の問題等から多種多様な演出を行うことには限界がある。
このため、前記パチンコ機で大当たりしても大当たりした時の演出が単調でマンネリ化し易く、また、大当たりした時の前記演出は不特定多数の遊技客に対して同じように行われるため、せっかく大当たりしても遊技客が受ける大当たりの感動が色褪せたり減退したりしてしまう。
この結果、大当たりした時に行われる演出表示装置の演出だけでは遊技客の囲い込みや遊技客のリピートを図るには無理がある。
なお、出願人は本願出願の内容に関する先行技術文献を出願時に知りませんので、先行技術文献は記載しませんでした。
【発明の開示】
【発明が解決しようとする課題】
【０００３】
本発明は、上記事実に鑑みなされたものであり、遊技機で大当たりした時に遊技機に表示されるバーコードを携帯端末で読み取ってインターネットを介してサーバーにアクセスして大当たりの状況に応じた大当たり証明を携帯端末を介して獲得、収集させるようにして遊技客の囲い込みやリピートを図ることができる携帯端末を用いた遊技機大当たり証明獲得システムを提供するものである。
【課題を解決するための手段】
【０００４】
請求項１の発明は、遊技客が遊技機で遊んで遊技機が大当たりすると遊技機に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信するサーバーと、からなることを特徴としている。
請求項２の発明は、遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能を有するサーバーと、からなることを特徴としている。
請求項３の発明は、遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能及び抽選機能、ポイントサービス機能を有するとサーバーと、からなることを特徴としている。
請求項４の発明は、遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能及び会員登録機能を有するサーバーと、からなることを特徴としている。
請求項５の発明は、遊技客が遊技機で遊んで遊技機が大当たりすると遊技機の演出表示装置に表示されるバーコードと、このバーコードに示される前記大当たりの状況に応じた大当たり状況情報と、前記遊技客が携帯端末を用いて前記バーコードに示された大当たり状況情報を読み取ってインターネットを介してアクセスすると前記大当たり状況情報に応じた大当たり証明を前記携帯端末に送信する機能を有するサーバーと、前記遊技機に設けられ前記演出表示装置にバーコードを表示したり消したりすることができるバーコード表示消滅ボタンと、からなることを特徴としている。
請求項６の発明は、前記バーコードをＱＲコードにしたことを特徴としている。
【発明の効果】
【０００５】
本発明は、遊技機が大当たりして遊技機に表示されたバーコードを携帯端末で読み取ってインターネットを介してサーバーにアクセスし、サーバーから配信された大当たり証明を携帯端末の画面にダウンロードさせることにより、遊技客が大当たり証明を収集することを促すことにより遊技客の囲い込みやリピートを図ることができるという優れた効果を有する。
また、請求項３の発明は、上記優れた効果の他にサーバーに抽選機能、ポイントサービス機能を持たせたことにより遊技客の囲い込みやリピートを一段と図ることができるという優れた効果を有する。
また、請求項４の発明は、上記優れた効果の他にサーバーに会員登録機能を持たせたことにより遊技客の囲い込みやリピートを一段と図ることができるという優れた効果を有する。
【発明を実施するための最良の形態】
【０００６】
発明を実施するために最良の形態の例として以下のような実施例を示す。
【実施例１】
【０００７】
図１〜図７には本発明に係る携帯端末を用いた遊技機大当たり証明獲得システム１０の第１実施例が示されている。なお、実施例では遊技機としてパチンコ機を例にして説明する。
図１には本発明に係る携帯端末を用いた遊技機大当たり証明獲得システム１０の全体システム図が示され、図２には携帯端末を用いた遊技機大当たり証明獲得システム１０の流れを示すフローチャート図が示されている。
この携帯端末を用いた遊技機大当たり証明獲得システム１０に使用される携帯端末としての携帯電話１２はインターネットアクセス機能を有し、インターネット１４に接続できるようになっている。このインターネット１４には後述するパチンコ機のメーカーが開設するサーバー１６が接続されている。このサーバー１６は後述する遊技機に表示されるバーコードに示されている情報等に基づきインターネット１４を介して携帯電話１２に画像や音声等を送信できる機能を備えている。
また、前記携帯電話１２はバーコードに表示されている情報を読み取ることができるバーコードリーダー機能を備えている。
図３に示されるように、遊技機としてのパチンコ機２０のパチンコ台２２の正面略中央部には演出表示装置２４が設けられている。この演出表示装置２４には液晶画面２６が形成され、この液晶画面２６に数字や絵柄等を液晶表示できるようになっている。
また、前記演出表示装置２４の下方には数字絵柄始動入賞口３０が設けられている。この数字絵柄始動入賞口３０の下方には特定入賞口３２が設けられている。さらに、前記演出表示装置２４の横には始動入賞口３４が設けられ、始動入賞口３４の下方には大入賞口３６が設けられている。
従って、前記パチンコ機２０で遊んで数字絵柄始動入賞口３０にパチンコ玉が入って入賞すると演出表示装置２４の液晶画面２６に表示された数字や絵柄が変動開始すると共に、一定時間後に停止され、停止した演出表示装置２４の表示結果が予め設定された表示（この実施例では図４に示されるように数字の「７」が３個並んで揃った表示）になると特定入賞口３２が開放されるようになっている。
そして、前記特定入賞口３２にパチンコ玉が入って入賞することにより大当たりの権利が発生する。この大当たりの権利発生時に前記始動入賞口３４にパチンコ玉が入って入賞すると大当たりが確定して大入賞口３６は開放され、所定時間パチンコ玉を受入れることができるようになっている。
前記大当たりが確定すると図４に示す前記液晶画面２６の液晶表示が変動して数字の「７」が３個並んだ表示から図５に示すように大当たり確定状態になっていることを示す大当たり確定状態画像４０（この実施例では少女の画像）が液晶表示される。また、この時、この液晶画面２６には前記大当たり確定状態画像４０と共にバーコードとしての二次元バーコードであるＱＲコード４２が液晶表示されるようになっている。
このＱＲコード４２にはパチンコ機２０で遊んで大当たりした時の大当たりの状況に応じた大当たり状況情報が示されている。即ち、前記大当たり確定状態画像４０は同じ少女の画像であっても同時に表示されるＱＲコード４２に示されている大当たり状況情報は大当たりの状況に応じた内容の情報が示されている。例えば、初めて大当たり状態になって表示されたＱＲコード４２に示されている大当たり状況情報と、２回連続して大当たり状態になって表示されたＱＲコード４２に示されている大当たり状況情報と、５回連続して大当たり状態になって表示されたＱＲコード４２に示されている大当たり状況情報とでは前記ＱＲコード４２に示されている大当たり状況情報の内容は相違している。これは大当たりの状況に応じて前記サーバー１６が遊技客の携帯電話１２に送信する大当たり証明画像４４（図７参照）にグレードの格差を持たせるためである。即ち、大当たりの状況が難しければ難しいほど（例えば初めて大当たりした場合よりも２回連続して大当たりするほうが難しいし、２回連続して大当たりした場合よりも５回連続して大当たりするほうが難しいし）、遊技客の携帯電話１２に送信される大当たり証明画像４４はグレードが高くなるようになっている（例えば２回連続して大当たりして送信される大当たり証明画像４４の少女の画像よりも５回連続して大当たりして送信される大当たり証明画像４４の少女の方がより可愛くて綺麗な少女の画像となる）。これは大当たりの状況が難しい場合の大当たり証明画像４４のグレードを高くて難しい状況で大当たりした時に獲得した大当たり証明画像４４の方がよりプレミアムがつくようにするためである。
従って、前記パチンコ機２０で遊んで大当たりして演出表示装置２４の液晶画面２６に図５に示されるＱＲコード４２が液晶表示されたら遊技客は図６に示すように前記携帯電話１２で前記ＱＲコード４２を読み込んで前記サーバー１６にアクセスすると、前記サーバー１６は図７に示されるように前記携帯電話１２の画面１２Ａに前記ＱＲコード４２に示されている大当たり状況情報に基づいて当該大当たりに対応するグレードの大当たり証明画像４４を携帯電話１２の画面１２Ａに送信するようになっている。
【０００８】
次に、第１実施例の携帯端末を用いた遊技機大当たり証明獲得システム１０の作用について説明する。
遊技客が前記パチンコ機２０で遊んで前記大当たりが確定すると前記演出表示装置２４の液晶画面２６の表示が変動して図４の数字の「７」が３個並んだ表示から図５に示す大当たり状態を示す大当たり確定状態画像４０が液晶表示される。この時、この液晶画面２６には大当たり確定状態画像４０と共にＱＲコード４２が一緒に液晶表示される。
従って、遊技客は前記ＱＲコード４２に示されている情報を図６に示すように携帯電話１２で読み取って前記サーバー１６にアクセスする。
これによりサーバー１６は前記携帯電話１２で読み取られたＱＲコード４２の大当たり状況情報に基づいて大当たりの状況に応じたグレードの大当たり証明画像４４を携帯電話１２の画面１２Ａに送信する。
遊技客は前記大当たり証明画像４４を携帯電話１２にダウンロードすることにより、遊技客は大当たり証明画像４４を獲得することができる。
従って、遊技客は大当たりの状況に応じたグレードの大当たり証明画像４４を獲得、収集することに喜びを感じたり、獲得した大当たり証明画像４４を友人等の第三者に自慢したりすることができる。
また、遊技客はパチンコ機２０で遊んでさらに高いグレード（たとえば図７に示す大当たり証明画像４４の少女よりもさらに可愛くて綺麗な少女の画像等）の大当たり証明画像を獲得しようという気持ちになるため、遊技客の囲い込みやリピートを図ることができ、これにより遊技客を増加させることができる。
【０００９】
図８には本発明に係る携帯端末を用いた遊技機大当たり証明獲得システムの第２実施例が示されている。なお、第１実施例の携帯端末を用いた遊技機大当たり証明獲得システム１０と同一の構成は同一の符号を用いてその説明を省略する。
図８には第２実施例の携帯端末を用いた遊技機大当たり証明獲得システム５０のシステム図が示されている。
第２実施例の携帯端末を用いた遊技機大当たり証明獲得システム５０において使用されるサーバー５２は大当たり証明画像４４を携帯電話１２に送信する機能を持たせる他に抽選機能やポイントサービス付与機能を備えている。
従って、遊技客はパチンコ機２０で大当たりした場合に大当たり証明画像４４を獲得するだけでなく、サーバー５２にアクセスして携帯電話１２の画面１２Ａ上で抽選を行って商品を獲得したり、ポイントサービスを獲得することができるようになっている。
このため、第２実施例の携帯端末を用いた遊技機大当たり証明獲得システム５０においては大当たり証明画像４４の獲得の他に抽選やポイントサービスの付与というサービスがあるので、遊技客の囲い込みやリピートを一段と図ることができる。
なお、携帯端末を用いた遊技機大当たり証明獲得システム５０の他の構成、作用、効果は第１実施例の携帯端末を用いた遊技機大当たり証明獲得システムと同一であるので、その説明は省略する。
【００１０】
図９には本発明に係る携帯端末を用いた遊技機大当たり証明獲得システムの第３実施例が示されている。なお、第１実施例の携帯端末を用いた遊技機大当たり証明獲得システム１０と同一の構成は同一の符号を用いてその説明を省略する。
図９には第３実施例の携帯端末を用いた遊技機大当たり証明獲得システム６０のシステム図が示されている。
第３実施例の携帯端末を用いた遊技機大当たり証明獲得システム６０において使用されるサーバー６２は大当たり証明画像４４を携帯電話１２に送信する機能を持たせる他に遊技客の会員登録機能を備えている。
従って、遊技客は携帯電話１２でサーバー６２に会員登録することにより、サーバー６２に会員登録した遊技客の大当たり履歴をサーバー６２に蓄積してパチンコ機２０で大当たりした回数（例えば大当たり回数が１００回目の場合）に応じてプレミアム大当たり証明画像をサーバー６２から送信して貰えるようにして、遊技客の囲い込みやリピートを一段と図るようになっている。
また、前記登録した会員のパチンコ機２０における大当たり回数を蓄積しておいて、累積大当たり回数や連続大当たり回数等に対応した商品の提供やポイント付与等を行うようにしてもよい。
なお、携帯端末を用いた遊技機大当たり証明獲得システム６０の他の構成、作用、効果は第１実施例の携帯端末を用いた遊技機大当たり証明獲得システムと同一であるので、その説明は省略する。
【００１１】
なお、実施例ではパチンコ機２０が大当たり確定状態になると演出表示装置２４の液晶画面２６に大当たり確定状態画像４０と一緒にＱＲコード４２が液晶表示されるようにしたが、図１０に示されるようにパチンコ機２０のパチンコ台２２にバーコード表示消滅ボタン７０を設けてＱＲコード４２の表示が必要な場合にだけＱＲコード４２を表示して表示が不要な場合は液晶画面２６からＱＲコード４２を消すことができるようにしてもよい。
【００１２】
なお、実施例では携帯端末としてインターネットアクセス機能及びバーコードリーダー機能を有している携帯電話１２を示したが、インターネットアクセス機能及びバーコードリーダー機能を有していれば携帯端末は携帯電話に限定されるものでないことは勿論である。
また、実施例では遊技機としてパチンコ機２０を使用した場合を説明したが、遊技機であればパチンコ機に限定されるものでなく、パチスロ機やテレビゲーム機等をはじめとする他の遊技機でもよいことは勿論である。
なお、実施例ではサーバー１６，５２，６２が送信する大当たり証明は大当たり証明画像４４というように画像にしたが、大当たり証明は大当たりを証明するものであれば音声（例えば「大当たりおめでとう」という音声）でもよく、あるいは大当たりを証明する画像と音声を一緒に携帯電話１２に送信するようにしてもよい。
また、実施例ではバーコードとして二次元バーコードであるＱＲコード４２を示したが、必要な情報を示すことができるバーコードであればＱＲコード４２に限定されるものでないことは勿論である。
【図面の簡単な説明】
【００１３】
【図１】第１実施例の携帯端末を用いた遊技機大当たり証明獲得システムの全体図である。
【図２】第１実施例の携帯端末を用いた遊技機大当たり証明獲得システムの流れを示すフローチャート図である。
【図３】第１実施例の携帯端末を用いた遊技機大当たり証明獲得システムに使用されたパチンコ機の概略正面図である。
【図４】第１実施例の携帯端末を用いた遊技機大当たり証明獲得システムに使用されたパチンコ機の演出表示装置の正面図である。
【図５】第１実施例の携帯端末を用いた遊技機大当たり証明獲得システムに使用されたパチンコ機の演出表示装置の正面図である。
【図６】第１実施例の携帯端末を用いた遊技機大当たり証明獲得システムに使用された携帯電話の画面の拡大図である。
【図７】第１実施例の携帯端末を用いた遊技機大当たり証明獲得システムに使用された携帯電話の画面の拡大図である。
【図８】第２実施例の携帯端末を用いた遊技機大当たり証明獲得システムの全体図である。
【図９】第３実施例の携帯端末を用いた遊技機大当たり証明獲得システムの全体図である。
【図１０】実施例の携帯端末を用いた遊技機大当たり証明獲得システムに使用されたパチンコ機の他の態様をしめすパチンコ機の概略正面図である。
【符号の説明】
【００１４】
１０    携帯端末を用いた遊技機大当たり証明獲得システム
１２    携帯電話
１４    インターネット
１６    サーバー
２０    パチンコ機
２４    演出表示装置
２６    液晶画面
４０    大当たり確定状態画像
４２    ＱＲコード
４４    大当たり証明画像
【図１】
2007044293.tif 000003
【図２】
2007044293.tif 000004
【図３】
2007044293.tif 000005
【図４】
2007044293.tif 000006
【図５】
2007044293.tif 000007
【図６】
2007044293.tif 000008
【図７】
2007044293.tif 000009
【図８】
2007044293.tif 000010
【図９】
2007044293.tif 000011
【図１０】
2007044293.tif 000012